Podtech/llm-jp-corpus-v4-ja_patent huggingface dataset:
(57)【要約】      （修正有）【課題】持ち運びが出来、健康面に寄与する高い抗酸性を持たせたミネラルイオン水としても十分である、水道水を利用できるような簡易式のウォーターサーバーの提供。【解決手段】保温性の高い外部断熱二重式の本体３を中心から二分割あるいは上下二分割し、一方に温水一方に氷入り水道水を入れ、内部の素材構成は低部に竹炭１６その上部にインド綿等にて火山岩石１７と金粉１８を内包して配材、磁石は新ＫＳ、ＭＫ銅等、半永久性の帯状の形状化材１２を内部上下二段に配する事で水道水を磁場水とし、諸材料との構成、連係により水質に高い抗酸性を持たせるウォータージャグ。【選択図】図１
2016112551.tif 000002
【特許請求の範囲】
【請求項１】
飲用水の水質が高い抗酸性を有する水質へと変化をもたらすための内部構造及び素材、配材構成。
【発明の詳細な説明】
【技術分野】
【０００１】  本発明は、アウトドアとしても、又作業現場等にも持っていけるウォタージャー、ウオーターシャグ（以下ウォタージャグ）を利用して湯水、冷水が使い分けでき、又、水道水を使用して短時間にておいしいミネラル水へ変化させるだけでなくその水質に高い抗酸化性を持たせるというウォータージャグの構造特性及び材料構成に関する。
【背景技術】
【０００２】  近年普及しているウォターサーバーは安全で美味な温水冷水が蛇口一つにて直ぐ利用できる利便性にて広まっているのだが、主として、本体リースにて、ボトル水を必要に応じて会社や家庭に配送する事で市場を伸ばしている。
【参考文献】
特開２０１２−１１０８７７
【発明の開示】
【発明が解決しようとする課題】
【０００３】  たしかに便利で手問いらずであるが設置型電化品に付持ち運びが出来ないし、又健康面に寄与する高い抗酸性を持たせたミネラルイオン水としても不十分である、又年間として見ると費用もかさむ、どうしたらそうした面が解消でき費用のかからない水道水を利用できるような簡易式のウォーターサーバー的な物が作れないか研究模作した。
【課題を解決するための手段】
【０００４】  産業的技法で述べれば大型のウォータージャグ、保温性の高い外部断熱二重式の本体を中心から二分割あるいは上下二分割でよい、一方に温水一方に氷入り水道水を入れれば良い、内部の素材構成は低部に竹炭その上部にインド綿等にて火山岩石と金粉を内包して配材、磁石は新ＫＳ、ＭＫ銅等、半永久性の帯状の形状化材を内部上下二段に配する事で水道水が磁場水となり諸材料との構成、連係により水質に高い抗酸性を持たせる事が出来る。又製作価格を度外視すれば本体内部に２４Ｋでのメッキ処理を施せばその接水面積からもその抗酸化性は大幅に向上する、ただ普及面を考え金粉に、尚金粉を岩石に混入し内包したのは金粉の外部流出を防ぐ為である、又竹炭を低部に配したのは水圧、岩石との接面作用にてこまかい竹辺が外部へ流出するため愛飲者が無意識に食べる竹炭行為になり直接的な免疫力の向上効果にも通じる。
【発明の効果】
【０００５】  我々は毎日水分を取り続ける事で生命維持につながり費用のかからないこの水を飲み続ける事で体内の活性酸素活動を抑え、新陳代謝を活性化させ内面からの若返り、内面美容効果をもたらし、バランスの良い食生活、適度な運動を加味する事で長寿効果を生み出す。
【発明を実施するための最良の形態】
【０００６】  今回は商品化に時間がかかる産業的技法ではなく、個人レベルでも作れるより簡易な手法にて実施した、ウォータージャグを二個用意して同一素材を入れ、磁石に関しては内部がアルミ材で付くっつかない、そこで水に馴染む檜木材等にて底蓋、浮蓋にてそこに磁石を組みこんだ、１０ミリ径２０００ガウス円形フェライト磁石２０個にてＮ、Ｓ極を上下に合わせ配材、両面共接水しているので十分な磁場水となその配材からウォーターサーバー水や市販のミネラル水には有しえない水質内での高い抗酸化性を持たせる事ができ日々の愛飲にて、特に寝起きの朝飲み行為を続ける事で腸内の宿便をへらし大腸環境を整え小腸内の免疫力が高まり悪玉菌の増加を抑え内面美容効果につながる。【０００７】  配材比は１ｌ当たり竹炭５０ｇ、火山岩石１００ｇが好ましい、火山岩石には鉱石類が多種に渡り含まれているから、問題は金粉の量である、多ければ多い程よい、製作費用、普及の面を考え０、２ｇとした、５ｌ容器であれば１ｇであり少い量ではない、ちなみに金粉入一升酒の量を棒磁石にて取集し計量したところ０、０ｇ単位である、経済面にて恵まれ資産として金貨、延べ棒等を所有している方は金庫等に保管せず当ジャグにて保管すればよい、この上ない贅沢な健康水になる、これは笑い話等ではない化学的見地から見た真摯な提言である、かような配材、構成により持運び可能にて健康面にて大いに寄与し市販のミネラル水、ウォーターサーバーにては作りえない水質内に高い抗酸性を
2016112551.tif 000003
【図面の簡単な説明】
【０００８】
【図１】ウォータージャグを二分割した時の断面図
【図２】ウォータージャグを二個用いた時の断面図
【符号の説明】
【０００９】１  本体上部  ２  本体下部  ３  本体  ４  上部外蓋
５  上部内蓋  ６  受水容器  ７  容器蓋  ８  持ち運び取手
９  注水口  １０  注水ツマミ  １１  断熱部  １２  帯状磁石
１３  円型フェライト磁石  １４  木製浮き蓋  １５  木製底蓋  １６  竹炭
１７  火山岩石  １８  金粉  １９  内包袋  ２０  中間断熱部
２１  底部傾斜
【図１】
2016112551.tif 000004
【図２】
2016112551.tif 000005
(57)【要約】      （修正有）【課題】製造が容易でコストが低く、識別性も高い電子印鑑を提供する。【解決手段】電子印鑑は、導電性の印鑑本体と、前記印鑑と電気的に接続され先端部に形成された印章部５とからなる電子印鑑であって、前記印章部が導電部３と絶縁部４とからなることを特徴とする。前記導電部３は静電植毛により形成した導電性繊維からなることが望ましい。また、前記絶縁部は植毛がなく絶縁性部材により被覆されていることが好適である。【選択図】図１
2016035728.tif 000002
【特許請求の範囲】
【請求項１】
導電性の印鑑本体と、前記印鑑と電気的に接続され先端部に形成された印章部とからなる電子印鑑であって、前記印章部が導電部と絶縁部とからなることを特徴とする電子印鑑。
【請求項２】
前記導電部は静電植毛により形成した導電性繊維からなることを特徴とする請求項１記載の電子印鑑。
【請求項３】
前記絶縁部は、植毛がなく絶縁性部材により被覆されていることを特徴とする請求項１または２記載の電子印鑑。
【発明の詳細な説明】
【技術分野】
【０００１】  本発明は、静電容量型入力パッドに識別情報を入力するための電子印鑑に関する。
【背景技術】
【０００２】  現在、スマートホンなどの携帯型情報端末装置の普及が進んでおり、種々のアプリケーション等を使用する際に個人を簡単な方法で識別することが求められている。【０００３】  従来の個人識別方法としては、例えばパスワードがあるが、パスワード情報を他人に知られてしまうと容易に本人になりすますことが可能となる。従って、パスワードは一定の周期で変更する必要があるが、それを常に記憶しておくことは容易ではない。【０００４】  このような不便さを取り除くため、一定の識別情報をイメージ情報として入力する電子印鑑が提案されている。特許文献１には電子印鑑の例が開示されており、それによると電子印鑑は、筐体と、マイコン制御部と、バッテリと、導電性スポンジと、台座と、銅箔テープと、スポンジと、タクトスイッチと、スイッチングリレーと、銅釘と、第１導電線と、第２導電線とからなる。要するに、電気的に識別信号を作成しタッチパネルとの接触を通してその信号を入力する電子装置である。しかしながら、このような電子印鑑は構造が複雑であって製造コストが高価であるという問題点があった。【０００５】  一方、タッチパネルのような静電容量型入力パッドに情報を入力するための入力ペンが特許文献２に開示されている。この技術では、使用者の手に把持される導電性のペン本体と、このペン本体と電気的に導通された導電性のペン先とを備えた入力ペンが提案されている。請求項４には、ペン先が、先端部が球面状の導電性軸体と、この先端部に静電植毛して形成された導電性繊維とからなるペンが提案されている。このような入力ペンはパッド上のボタンを押したり文字を描くためのものであって、電子認証には使用できないものであった。
【特許文献】
【０００６】
【特許文献１】特開２０１２−１１８６３７号公報
【特許文献２】特開平１０−３９９８９号公報
【発明の開示】
【発明が解決しようとする課題】
【０００７】  本発明は上述の問題点に鑑みてなされたものであり、製造が容易でコストが低く、識別性も高い電子印鑑を提供することを課題とする。
【課題を解決するための手段】
【０００８】  上記課題を解決するため本発明による電子印鑑は、導電性の印鑑本体と、前記印鑑と電気的に接続され先端部に形成された印章部とからなる電子印鑑であって、前記印章部が導電部と絶縁部とからなることを特徴とする。前記導電部は静電植毛により形成した導電性繊維からなることが望ましい。また、前記絶縁部は植毛がなく絶縁性部材により被覆されていることが好適である。
【発明の効果】
【０００９】  本発明による電子印鑑では、電子回路や電池等の高度の部品を使用していないため製造コストが安価であるにもかかわらず、簡易的な電子印鑑としての識別機能を具備することが可能である。
【発明を実施するための最良の形態】
【実施例】
【００１０】  以下、図面に基づいて本発明を説明する。図１は本発明による電子印鑑の実施例の斜視図である。この実施例では円柱形の導電性基台１上に導電性繊維が静電植毛により植毛されて植毛部３が形成されており、その一部において所定形状の部分だけ植毛のない絶縁部４が形成されている。図２に図１に示した実施例のＡ−Ａ’箇所の断面図を示した。導電性基台１の印鑑形成面２上に導電性繊維が林立し植毛部３を形成している。そして、印鑑形成面２の一部には植毛のない絶縁部４が形成されている。絶縁部４は植毛がないため、印章面５をタッチパネル等の入力パッドに接触させた際、入力パッドと非接触になるためその状態で絶縁はされるが、より絶縁を確かにするためには、絶縁性インク等の絶縁部材で被覆することが好ましい。【００１１】  導電性基台１の材質としては導電性材料であれば特に限定されないが、金属が特に好ましい。また、形状は特に限定されない。【００１２】  植毛部３を形成する材料としては金属やカーボンが含まれる市販の導電性繊維が利用できるが、抵抗率が１０４〜１０８Ωの繊維であれば他の繊維でも利用できる。【００１３】  絶縁部４の形状としては、上記実施例ではハート型としたが、特に限定されるものではなく、文字や数字をはじめとしてどのような形状でもよい。【００１４】  次に、本発明による電子印鑑の製造方法について説明する。導電性基台１の印鑑形成面に接着剤を塗布し、乾燥する前に導電性繊維を静電植毛する。静電植毛には、市販の装置を利用することができる。接着剤が十分に乾燥した後、例えばレーザーカッター等により、植毛の一部を除去する。その後、できればＵＶプリンター等を使用して除去した部分に絶縁性材料を付着させる。【００１５】  上記方法では、静電植毛を行ったあとでその一部を除去したが、接着剤を塗布する前に接着剤を弾く材料を印鑑形成面の一部に塗布しておき、接着剤が塗布されない箇所を作ることにより植毛を阻害する方法を利用することも可能である。
【産業上の利用可能性】
【００１６】  本発明による電子印鑑では、電子回路や電池等の高度の部品を使用していないため製造コストが安価であるにもかかわらず、簡易的な電子印鑑としての識別機能を具備することが可能であり、簡易的な個人識別にきわめて有用である。
【図面の簡単な説明】
【００１７】
【図１】本発明による電子印鑑の実施例を示す斜視図である。
【図２】図１に示した実施例の断面図である。
【符号の説明】
【００１８】１    導電性基台
２    印鑑形成面
３    植毛部
４    絶縁部
５    印章面
【図１】
2016035728.tif 000003
【図２】
2016035728.tif 000004
(57)【要約】    【課題】  小型ガス湯沸器について、風の影響による不完全燃焼発生によるＣＯの発生および、風の影響による不完全燃焼防止機能で自動消火を繰り返すとロックが掛り使用できなくなる。これらの問題を防止する。【解決手段】  小型ガス湯沸器の上面、左右側面、背面、下面の５面を風が通り抜けないように防風板で囲い金具やねじ等で固定する。防風板は小型ガス湯沸器の奥ゆきより大きく、設置すると小型ガス湯沸器の前面より手前に数ｃｍ出っ張るようにし、風が小型ガス湯沸器に当たりにくいようにするとほぼ正面だけの風になり、小型ガス湯沸器のどの部分も風圧が同等であり、風の影響での不完全燃焼を防止することができる。ただし、小型ガス湯沸器のバーナーや熱交換器の詰りによる不完全燃焼防止機能は、防風板の取り付けに関係なく働き、風の影響による不完全燃焼のみを防止するものである。【選択図】  図１
2016035341.tif 000002
【特許請求の範囲】
【請求項１】
小型ガス湯沸器の上面、左右側面、背面、下面の５面を風が通り抜けないように防風板で囲い、防風板が外れないように固定することを特徴とする小型ガス湯沸器用防風板
【発明の詳細な説明】
【技術分野】
【０００１】
本発明はおもに家庭用に使用する小型ガス湯沸器について、戸や窓からの風、および、エアコンや扇風機等の風により、小型ガス湯沸器の燃焼排気が停滞して流れ出なくなったり、ガスと空気の混合バランスが崩れたりすることによっておこる、風の影響による小型ガス湯沸器の不完全燃焼を防止する防風板である。
【背景技術】
【０００２】
防風板として小型ガス湯沸器側面の給気口に部分的に取り付けるものはあるが、防風板が小さいため、防風板の外側から斜めに風が抜け役目を果たしていない。上面、下面に防熱板として取り付けるものもあるがこれを防風板として代用しても横からや斜め前面や背面の風に対応できない。
【先行技術文献】
【特許文献】
【０００３】
【特許文献１】特許第５４７７６０１号公報
【発明の概要】
【発明が解決しようとする課題】
【０００４】
小型ガス湯沸器について、風の影響による不完全燃焼を防止し、不完全燃焼の発生頻度を下げることで安全性向上を図るとともに、最近の小型ガス湯沸器は安全性が高く、不完全燃焼防止機能による自動消火を数回繰り返すとロックが掛り小型ガス湯沸器のメーカー担当者がロックを解除するまでの間小型ガス湯沸器が使用できない。風の影響による不完全燃焼を防止し、風による影響でロックが掛ることを防止する。ただし、小型ガス湯沸器のバーナーや熱交換器の詰りによる不完全燃焼防止機能は、防風板の取り付けに関係なく働き、風の影響による不完全燃焼のみを防止するものである。
【課題を解決するための手段】
【０００５】
小型ガス湯沸器の上面、左右側面、背面、下面の５面を風が通り抜けないように囲うことで、ほぼ正面だけの風になり、小型ガス湯沸器のどの部分も風圧が同等であり、斜めに風が吹いても上面、左右側面、背面、下面の５面による囲いで風圧が同等である。空気とガスの混合バランスも正常になり、排気がバーナー上部から上昇し小型ガス湯沸器の外へ正常に排出でき、風の影響での不完全燃焼を防止することができる。ただし、火災や給排気の安全上定めてある小型ガス湯沸器の可燃物からの離隔距離以上離し防風板を取り付けることと取り付けについて金具やねじ等で止め、防風板が外れて小型ガス湯沸器の上に落ち、排気ができないような状態にならないようにすることや、防風板が変形しにくい強度や材質であることが重要である。また、下面については下から上に向いて吹く風の防風板のため、小型ガス湯沸器の排気が抜けやすくなる風向きであり、水道配管とガス配管も通っており設置がしにくいこともあり、強風でない場所では効果にあまり差がないため上面、背面、左右側面の４面とし下面は省略可能である。
【発明の効果】
【０００６】
小型ガス湯沸器について、風の影響による不完全燃焼を防止し、この原因によるＣＯの発生を防止でき、ＣＯ中毒発生の一因を防止できる。また、風による影響でロックが掛ることを防止し小型ガス湯沸器が稼働できる状態を多くする。  
【図面の簡単な説明】
【０００７】
【図１】小型ガス湯沸器用防風板
【符号の説明】
【０００８】
１  小型ガス湯沸器
２  防風板
３  金具、ねじ等
４  離隔距離
５  小型ガス湯沸器の側面給気口
【発明を実施するための形態】
【０００９】
小型ガス湯沸器の上面、左右側面、背面、下面の５面を風が通り抜けないように防風板で囲い金具やねじ等で固定する。防風板により戸や窓からの風およびエアコンや扇風機からの風が直接小型ガス湯沸器に当たらないようにする。ただし、火災や給排気の安全上定めてある小型ガス湯沸器の可燃物からの離隔距離以上離し防熱板を取り付けることが重要である。
【実施例１】
【００１０】
図１の如く、小型ガス湯沸器の上面、左右側面、背面、下面の５面を風が通り抜けないように防風板で囲い金具やねじ等で固定する。防風板は小型ガス湯沸器の奥ゆきより大きく、設置すると小型ガス湯沸器の前面より手前に数ｃｍ出っ張るようにし、風が小型ガス湯沸器に当たりにくいようにする。
【産業上の利用可能性】
【００１１】
防風板設置により
１  小型ガス湯沸器を使用中に風の影響による不完全燃焼を防止し、不完全燃焼発生頻度を下げることでＣＯ中毒の危険性が減少する。
２  不完全燃焼防止機能によるロックで小型ガス湯沸器の使用できない期間が、防風板設置により減少する。
の効果があり産業上の利用可能性は十分ある。
【図１】
2016035341.tif 000003
(57)【要約】【課題】工場構内などでは作業効率向上のために、歩行速度を一定にすることが求められる。しかし、実際に推奨歩行速度で歩行できているかを確認することは困難である。【解決手段】光輝を推奨歩行速度となるように順次点灯させることにより、推奨歩行速度を確認し、歩行速度を維持することを容易にするものである。【選択図】図１
2016075827.tif 000002
【特許請求の範囲】
【請求項１】
順次照明を点灯させ、推奨速度をわかりやすく表示する。
【発明の詳細な説明】
【技術分野】
【０００１】
工場構内などでは作業効率向上のために、歩行速度を一定にすることが求められる。しかし、推奨歩行速度を定めても、実際にその速度で歩行できているかを確認することは困難である。そこで。光輝を推奨歩行速度となるように順次点灯させることにより、推奨歩行速度を確認し、歩行速度を維持することを容易にするものである。
【発明の概要】
【発明が解決しようとする課題】
【０００２】
工場構内などでは作業効率向上のために、歩行速度を一定にすることが求められる。しかし、実際に推奨歩行速度で歩行できているかを確認することは困難である。
【課題を解決するための手段】
【０００３】
光輝を推奨歩行速度となるように順次点灯させることにより、推奨歩行速度を確認し、歩行速度を維持することを容易にするものである。
【図面の簡単な説明】
【０００４】
【図１】AC１００Vから電力を供給し、クロック発振器によりクロックパルスを作り、カウンタ/デコーダに信号を出力する。カウンタ/デコーダでは表示装置点灯のための出力を行う。表示装置はカウンタ/デコーダからの出力を受け、順次点灯する。クロック周波数、カウンタ/デコーダおよび表示装置の数、表示装置の配置間隔は、任意に変更が可能であり、目的の合わせて柔軟に対応できる。
【実施例】
【０００５】
身障者歩行訓練機材
【図１】
2016075827.tif 000003
(57)【要約】【課題】本発明は、従来の鼻パッドで変更出来なかった芯金に対する角度の変更を可能にし、装用者に適切な鼻パッドの角度を提供するものである。【解決手段】鼻パッドの、樹脂部分と凹凸を設けた芯金とを、敢えて固着させず、芯金を軸に回転できる構造にし、芯金に設けた回転対称形の凹凸により、一定角度毎にその角度を保持することを可能とする。これにより、パッドアームへの負担無しに鼻パッドの角度変更が出来る。【選択図】図１
2016075834.tif 000002
【特許請求の範囲】
【請求項１】
樹脂からなるパッド本体に、芯金が回転できるように、固着せずに射出成形したことを特徴とする鼻パッド。
【請求項２】
上記の芯金は、凹凸を有する回転対称形である事を特徴とする請求項１記載の鼻パッド。
【発明の詳細な説明】
【技術分野】
【０００１】
本発明は、眼鏡フレームに取り付けられる鼻パッドに関する。
【発明の概要】
【発明が解決しようとする課題】
【０００２】
従来構造の鼻パッドは、芯金と樹脂が固着されている為、角度や方向の変更が出来なかった。
【課題を解決するための手段】
【０００３】
本考案の鼻パッドは、樹脂部分に軟質樹脂を使用し、芯金と樹脂とを敢えて固着させない事により、芯金を軸に樹脂部分が回転できる構造を作り、芯金にギア歯の様な回転対称形の凹凸を施すことで、変更した角度を保持する。
【発明の効果】
【０００４】
これにより本考案の鼻パッドは、従来の鼻パッドでは出来なかった、芯金に対する角度の変更を提供することが出来る。
【図面の簡単な説明】
【０００５】
【図１】本発明の構成、鼻パッドの正面図と側面図。
【図２】凹凸を持った回転対称形の芯金の形状例
【発明を実施するための形態】
【０００６】
芯金の、樹脂に埋め込まれる部分(11)に凹凸を持つ回転対称形を施し、それを射出成形機にセットした後、軟質樹脂(13)を充填することで、芯金と樹脂を固着させず、芯金を軸に樹脂部分(13)が回転する構造を可能とする。
【０００７】
樹脂部分に埋め込まれる回転対称形は、その形状によって保持できる角度を変えることが出来る。図２の(a)では、360度回転をする間に、20度毎の角度変更が可能であり、また図２の(b)では、180度毎に角度を変更する事が出来る。同様に、図２の(c)では、120度毎に、図２の（ｄ）では60度毎に角度変更が出来る。
【符号の説明】
【０００８】
1  鼻パッド
11  ギア歯
12  取付部
13  樹脂部
【図１】
2016075834.tif 000003
【図２】
2016075834.tif 000004
(57)【要約】【課題】ゲルマニウムメッキ素材とユニット型主軸部と副軸部の３５°ネジ山の傾斜固定ネジ、ユニット型ボルト。１７°の傾斜によるＬ型工具を提供する。【解決手段】（１）ユニット型ボルト主軸部（２）固定ネジ（３）ボルトと３５°の傾斜ネジ山（４）副軸ボルト３５°ネジ山（５）副軸部物理学的に優位な１７°の傾斜を持つＬ型工具（側面図、平面図）又、ゲルマニウム素材を使用することにより絶縁体よりのボルトができて、電気エネルギーが通るにもゆっくりとした流れを示します。その上医学的にも大変良い状態をもち、長い手作業にも疲労感などないのが特徴とする。【選択図】図１
2016075385.tif 000002
【特許請求の範囲】
【請求項１】
主軸、副軸３５°傾斜ボルト  ゲルマニウムメッキを施したユニット型ボルト
Ｌ型工具に１７°の傾斜をもたせた
【発明の詳細な説明】
【技術分野】
【０００１】この発明は、ゲルマニウムメッキを施し主軸、副軸ボルトに３５°の傾斜ネジ山からなるボルト
１７°傾斜Ｌ字型の工具である。
【背景技術】
【０００２】従来、ゲルマニウムメッキがなく主軸と副軸は別々になっていた。工具には１７°傾斜がなかった。
【先行技術文献】
【特許文献】
【０００３】
【特許文献１】
【発明の概要】
【発明が解決しようとする課題】
【０００４】これは、次のような欠点があった。
（イ）ネジの山がする減り、まし締めがあり、多少ありこれに困ることがあたた。
（ロ）ボルトの締め付け不良、工具の落下があり困っていた。
（ハ）ボルトの締め付けが迅速、且つ合理的に行えなかった。
【課題を解決するための手段】
【０００５】（１）主軸（２）固定ネジ（３）３５°の傾斜ボルト（４）副軸ボルト（５）副軸部
物理学的に支店に対する作用点に負荷価値のあるＬ字型工具である。
又、ゲルマニウムメッキを使用することにより半導体化できて、導体と絶縁体の中間素材により電気を通しにくい点があるのがなによりの特徴といえます。
本発明は、以上のような構成よりなるユニット型ボルトと工具である。
【発明の効果】
【０００６】物理学的に書き述べると、主軸部、副軸部のボルトに３５°傾斜のあるネジを使用することにより磨り減り、締め付け不良がないのである。又、ボルトのかみ合わせも迅速、簡単ムダが無くて済みます。
ボルト自体の寿命をより一層長く保てます。
次にゲルマニウムメッキの素材を使用することにより半導体化したボルトとなり、僅かに絶縁体のボルトにもなります。医学的には、人体に良い影響が多大にあります。
【図面の簡単な説明】
【０００７】
【図１】本発明の平面図である。
【図２】本発明の側面図と平面図（工具）である。
【発明を実施するための形態】
【０００８】以下、本発明を実施するための形態について説明する。
ボルト自体、ゲルマニウムメッキにより半導体化した素材である。（１）ユニット型ボルトの主軸部（２）固定ねじ（３）３５°の傾斜ボルト（４）副軸ボルト（５）副軸部である。
物理的視野における支点と作用点における負荷価値観絶大であり、１７°の傾斜の工具である。
又、ユニット型ボルトに於いては、物理的、機械工学的な面において合理性、迅速性、簡単、寿命を長くでき、医学的には、人体への悪影響が全くなく長く手作業しても少しも疲労感はありません。
【産業上の利用可能性】
【０００９】ユニット型ボルトでは、主軸部、副軸部との組み合わせが、良くて済むには、この三拍子の連係こそが何よりも大切である。又、ゲルマニウムメッキを施すことにより半導体化にでき、導体と絶縁体の中間より僅かに絶縁体よりの素材になり、電気を余り通さずにできて、＋から−にはゆっくりとした電気エネルギーが流れます。
電気関係のボルトになることはいうまでもなく今後、より、一層使用され続けることは間違いありません。又、医学的な面に於いては大変良い影響があります。
【符号の説明】
【０００１０】１  主軸部
２  固定ネジ
３  ３５°の傾斜ボルト
４  副軸部ボルト
５  副軸部
［図２］
工具  側面図  平面図
【図１】
2016075385.tif 000003
【図２】
2016075385.tif 000004
(57)【要約】【課題】従来の作業用手袋は、装着する方法にのみ重点をおいて作られたものであり、作業を終えた後、安全かつ簡単に取り外すことができるものではなかった。  本発明は、作業を終えた後、安全かつ簡単に取り外すことができる作業用手袋を提供する。【解決手段】左右兼用や左右が決まっている作業用手袋を装着した状態で手の甲側と手のひら側の袖口にそれぞれに、あるいはどちらか一方に指先に向け角度をつけた小さい突起をつけ、その突起が本体と一体成形をなすことを特徴とする作業用手袋。【選択図】図１
2016075014.tif 000002
【特許請求の範囲】
【請求項１】
左右兼用や左右が決まっている作業用手袋を装着した状態で手の甲側と手のひら側の袖口にそれぞれに指先に向け角度をつけた小さい突起をつけ、それが本体と一体成形をなすことを特徴とする作業用手袋。
【発明の詳細な説明】
【技術分野】
【０００１】  本発明は、医療、介護、検査及び農作業等で使用する作業用手袋に関するものである。
【背景技術】
【０００２】  従来の作業用手袋は、取り外すことよりも装着する方法などに重点をおいて考えられたものが多かった。
医療や介護の現場では素早く装着し作業に当たらねばならず手袋の内側にパウダーをまぶしたものや袖口を広く成形し手を素早く挿入できるものなどがある。
【先行技術文献】
【特許文献】
【０００３】
【特許文献１】特開２００２−２７５７１２号公報
【発明の概要】
【発明が解決しようとする課題】
【０００４】  従来の作業用手袋は手袋の内側にパウダーをまぶしたものや袖口を広く成形したものがあるが、袖口を広くしたものは袖口が指先に向ってめくり上がり血液、体液、汚物、検査薬等の液状等が進入するという問題点があった。
また、袖口が手の皮膚に密着する手袋は、指先に向って袖口がめくり上がらず液状等が進入することはないのであるが、作業を終えた後、取り外す時などは手袋外側に付着している液状等が皮膚に付着するということがあった。
本発明は、以上の問題点を解決するためになされたものである。
【課題を解決するための手段】
【０００５】  左右兼用や左右が決まっている作業用手袋を装着した状態で手の甲側と手のひら側の袖口にそれぞれに指先に向け角度をつけた小さい突起をつけ、その突起が本体と一体成形をなすことを特徴とする作業用手袋。【０００６】  左右兼用や左右が決まっている作業用手袋を装着した状態で手の甲側あるいは手のひら側の袖口に指先に向けた角度をつけた小さい突起をつけ、その突起が本体と一体成形をなすことを特徴とする作業用手袋。
【発明の効果】
【０００７】  本発明を使用することによって指先から袖口まで腕の皮膚に密着した手袋にすることができ、手首等を自由に動かし作業がスムーズにできる。又、手術用手袋等のように袖口が肘までの前腕部を覆う長い手袋にも対応でき作業終了後、手の反対の手袋の突起をそれぞれつまみ引っ張ることで血液、体液、汚物、薬品、検査薬等が飛散し皮膚に付着することなく安全かつ簡単に取り外すことができる。
【図面の簡単な説明】
【０００８】
【図１】本発明の正面図である
【図２】本発明の平面図である
【図３】本発明の底面図である
【図４】本発明の実施例の正面図である
【図５】本発明の実施例の平面図である
【発明を実施するための形態】
【０００９】  以下、本発明の実施の形態を説明する。
（イ）作業用手袋本体（１）の袖口部分に指先に向け角度をつけた小さい突起（２）をつける。
（ロ）指先に向け角度をつけた小さい突起（２）は本体（１）と構造が一体成型を成し小さい突起（２）は本体（１）の指と同じく空洞とする。
本発明を使用するときは、作業を終えた後、小さい突起（２）を反対の手でつまみ引っ張ることで血液、体液、汚物、薬品、検査薬及び農薬等が飛散し皮膚に付着することなく素早く取り外すことができるのである。
本発明は以上のような構造である。
【符号の説明】
【００１０】  １・・・本体
２・・・突起
【図１】
2016075014.tif 000003
【図２】
2016075014.tif 000004
【図３】
2016075014.tif 000005
【図４】
2016075014.tif 000006
【図５】
2016075014.tif 000007
(57)【要約】【課題】  ストッキング・タイツ着用時の、足裏の蒸れを軽減するために、吸汗性のよい素材を取り付ける、または織り込んだストッキング・タイツを提供する【解決手段】  ストッキング・タイツの足裏の内側、素肌と接する部分に、吸汗性のよい素材を取り付ける、または織り込む事で、靴下・フットカバーのような吸汗性をあわせもった事を特徴とするストッキング・タイツ。【特許請求の範囲】
【請求項１】
ストッキング・タイツの足裏の内側、素肌と接する部分に、吸汗性のよい素材を取り付ける、または織り込んだストッキング・タイツ
【発明の詳細な説明】
【技術分野】
【０００１】  この発明は、ストッキング・タイツの足裏部分に、吸湿性のよい生地を取り付け、または織り込み、着用時の足裏の蒸れを軽減するストッキング・タイツに関するものである。
【背景技術】
【０００２】ストッキング・タイツの足裏部分は吸汗性が悪く蒸れやすかった。
またストッキング・タイツと比較して、靴下・フットカバーは吸汗性があるが、その靴下・フットカバーと、ストッキング・タイツは別々になっていた。
【発明の概要】
【発明が解決しようとする課題】
【０００３】  ストッキング・タイツは汗を吸い取らない素材のため、特に汗をかきやすい足裏は高温多湿になり、雑菌が繁殖し、これにより足が蒸れ、匂いを発生するという問題があった。また、吸汗性がないため、足裏の発汗により、ストッキング着用時にベタベタするという不快感もあった。【０００４】  ストッキング・タイツに比較し、靴下やフットカバーは、素材によっては吸汗性があり、足の蒸れが軽減されるため、ストッキング・タイツの下や上に、靴下・フットカバーなどを重ね履きし、足の蒸れを軽減する、という方法もあるが、これにも次のような問題があった。【０００５】  重ね履きによる問題は、つま先部分の窮屈感がある事、重ね履きによる見た目が悪い事、フットカバーの場合は脱げやすい事、などである。
【課題を解決するための手段】
【０００６】  ストッキング・タイツ着用時の蒸れ、重ね履きの課題を解決するためには、ストッキング・タイツの足裏の内側、素肌と接する部分に、吸汗性のよい素材を取り付ける、または織り込む事で、ストッキング・タイツに靴下・フットカバーのような吸汗性をもたせる事である。
【発明の効果】
【０００７】  ストッキング・タイツの足裏部分の吸汗性が改善する事で、足の蒸れを軽減する事ができる。
【発明を実施するための形態】
【０００８】  ストッキング・タイツの足裏の内側、素肌と接する部分に、吸汗性のよい素材を取り付ける、または織り込む。